(57)【要約】【課題】行先階がバンク共有階である利用者に対する利便性を向上させる。【解決手段】本発明の一態様は、通信変換装置が、ゲート装置で読み込まれた利用者情報からバンクを識別するためのバンク識別情報を検出した場合には、当該バンク識別情報が示すバンクに対応する群管理装置識別情報を判定し、該当群管理装置識別情報により特定される群管理装置に対し利用者情報に含まれる行先階情報を送信し、利用者情報が送信された該当群管理装置は、利用者情報に含まれる行先階情報に基づいて号機の割当てを行う。【選択図】図３
2019006568.tif 000002
【特許請求の範囲】
【請求項１】
利用者が所持する情報媒体から利用者情報を読み込むゲート装置と、前記利用者情報に基づいて所定の判定処理を行う通信変換装置と、乗りかごのサービスエリア毎に区分されるバンクに対応して設けられ、前記通信変換装置の判定結果に基づいて該当バンク内の号機の割り当てを行う複数の群管理装置とを備え、
前記通信変換装置は、前記ゲート装置で読み込まれた前記利用者情報から前記バンクを識別するためのバンク識別情報を検出した場合には、当該バンク識別情報が示すバンクに対応する群管理装置識別情報を判定し、該当群管理装置識別情報により特定される群管理装置に対し前記利用者情報に含まれる行先階情報を送信し、
前記利用者情報が送信された該当群管理装置は、前記利用者情報に含まれる前記行先階情報に基づいて前記号機の割り当てを行う
エレベーターのゲート連動システム。
【請求項２】
前記バンク識別情報が示す前記バンクは、他のバンクと共有の停止階が割り当てられており、前記利用者は、複数の前記バンクの共有の停止階を行先階として利用する利用者である
請求項１に記載のエレベーターのゲート連動システム。
【請求項３】
前記情報媒体の前記利用者情報に、前記バンク識別情報を登録する利用者情報登録装置、を更に備え、
前記利用者情報登録装置は、前記利用者の前記行先階が複数の前記バンクの共有の停止階である場合には、該当する各バンクの利用者を算出し、前記利用者が最少のバンクに対応するバンク識別情報を、前記情報媒体の前記利用者情報に登録する利用者情報登録装置、を更に備える
請求項１又は２に記載のエレベーターのゲート連動システム。
【請求項４】
前記通信変換装置は、前記ゲート装置で読み込まれた前記利用者情報から前記バンク識別情報が検出されなかった場合には、前記利用者情報に含まれる前記行先階情報に基づいて予め決定されている決定済みバンク識別情報を取得し、当該決定済み群管理装置識別情報により特定される群管理装置に対し前記利用者情報に含まれる行先階情報を送信する
請求項１に記載のエレベーターのゲート連動システム。
【請求項５】
利用者が所持する情報媒体から利用者情報を読み込むゲート装置と、前記利用者情報に基づいて所定の判定処理を行う通信変換装置と、乗りかごのサービスエリア毎に区分されるバンクに対応して設けられ、前記通信変換装置の判定結果に基づいて該当バンク内の号機の割り当てを行う複数の群管理装置とを備えるエレベーターのゲート連動システムにおける群管理制御方法であって、
前記通信変換装置は、前記ゲート装置で読み込まれた前記利用者情報から前記バンクを識別するためのバンク識別情報を検出した場合には、当該バンク識別情報が示すバンクに対応する群管理装置識別情報を判定し、該当群管理装置識別情報により特定される群管理装置に対し前記利用者情報に含まれる行先階情報を送信し、
前記利用者情報が送信された該当群管理装置は、前記利用者情報に含まれる前記行先階情報に基づいて前記号機の割り当てを行う
群管理制御方法。
【発明の詳細な説明】
【技術分野】
【０００１】
本発明は、複数バンクが設置されたエレベーターのゲート連動システム及び群管理制御方法に関する。
【背景技術】
【０００２】
本技術分野の背景技術として、乗りかごのサービスエリア毎に区分されるバンクの乗り場への乗客の移動の効率を改善する技術が、特許文献１に記載されている。この特許文献１には、乗りかごのサービスエリア毎に区分したバンクを複数種類有するエレベーターの利用者を、行先階情報を含む利用者情報を読み取ることで認証した場合に、この読み取った階床の乗り場呼びを行って、読み取った行先階をサービスエリアとするバンクに最適な乗りかごを選定して乗り場呼びを割り当てることが記載されている。さらに、特許文献１には、各バンクの各号機の利用需要と各バンクと各ゲートとの位置関係をもとに、各ゲートからの利用者の誘導先のバンクを決定することが記載されている。
【先行技術文献】
【特許文献】
【０００３】
【特許文献１】特開２０１３−１８９２８８号公報
【発明の概要】
【発明が解決しようとする課題】
【０００４】
特許文献１に記載された技術は、行先階情報に基づいて割り当てるバンクを決定する。そのため、複数バンクに跨がる停止階（以下「バンク共有階」とも称す）の利用者は、行先階情報に基づいてバンク共有階をサービスしている複数のバンクに誘導されることになり、毎回異なるバンクを利用する可能性がある。
【０００５】
上記の状況から、行先階がバンク共有階である利用者に対する利便性を向上させる手法が要望されていた。
【課題を解決するための手段】
【０００６】
本発明の一態様のエレベーターのゲート連動システムは、利用者が所持する情報媒体から利用者情報を読み込むゲート装置と、利用者情報に基づいて所定の判定処理を行う通信変換装置と、乗りかごのサービスエリア毎に区分されるバンクに対応して設けられ、通信変換装置の判定結果に基づいて該当バンク内の号機の割り当てを行う複数の群管理装置とを備える。そして、通信変換装置は、ゲート装置で読み込まれた利用者情報からバンクを識別するためのバンク識別情報を検出した場合には、当該バンク識別情報が示すバンクに対応する群管理装置識別情報を判定し、該当群管理装置識別情報により特定される群管理装置に対し利用者情報に含まれる行先階情報を送信し、利用者情報が送信された該当群管理装置は、利用者情報に含まれる行先階情報に基づいて号機の割り当てを行う。
【発明の効果】
【０００７】
本発明の少なくとも一態様によれば、利用者が所持する情報媒体に行先階を元にバンク識別情報を予め登録しておき、このバンク識別情報が示すバンクに利用者を誘導する。それゆえ、行先階がバンク共有階である利用者に対する利便性を向上させることができる。
上記した以外の課題、構成及び効果は、以下の実施形態の説明により明らかにされる。
【図面の簡単な説明】
【０００８】
【図１】本発明の一実施形態に係るエレベーターのゲート連動システムが適用される乗場レイアウトの構成例を示す平面図である。
【図２】本発明の一実施形態に係るエレベーターのゲート連動システムにおける各バンクに割り当てられた乗りかごの停止階の例を示す説明図である。
【図３】本発明の一実施形態に係るエレベーターのゲート連動システムの制御系の構成例を示すブロック図である。
【図４】本発明の一実施形態に係るエレベーターのゲート連動システムにおけるバンク識別ＩＤと群管理装置との対応づけを示す対応テーブルの例である。
【図５】本発明の一実施形態に係るエレベーターのゲート連動システムが備える各装置のハードウェア構成例を示すブロック図である。
【図６】本発明の一実施形態に係るゲート装置における表示処理手法の手順例を示すフローチャートである。
【図７】本発明の一実施形態に係る通信変換装置における通信変換処理手法の手順例を示すフローチャートである。
【図８】本発明の一実施形態に係る利用者情報登録装置におけるバンク割当て処理手法の手順例を示すフローチャートである。
【発明を実施するための形態】
【０００９】
以下、本発明を実施するための形態の例について、添付図面を参照しながら説明する。添付図面において実質的に同一の機能又は構成を有する構成要素については、同一の符号を付して重複する説明を省略する。なお、添付図面は本発明の原理に則った具体的な実施形態と実装例を示しているが、これらは本発明の理解のためのものであり、決して本発明を限定的に解釈するために用いられるものではない。
【００１０】
＜一実施形態＞
［乗場レイアウト］
まず、一実施形態に係るエレベーターのゲート連動システムが適用される乗場レイアウトについて、図１を参照して説明する。図１は、一実施形態に係るエレベーターのゲート連動システムが適用される乗場レイアウトの構成例を示す平面図である。
【００１１】
本実施形態に係るエレベーターのゲート連動システムが適用される乗り場には、乗りかごのサービスエリア毎に区分される、グループ構成された複数のバンクＡ〜Ｃが設けられている。乗り場へ向かう途中には複数台のゲート装置２０が設置されている。ゲート装置２０は、例えばビルの入り口とエレベーターの各バンクの乗り場との間に設置される。
【００１２】
情報媒体１０は通信機器の一種であり、例えば非接触式のＩＣカードが用いられる。利用者がエレベーターの任意の階床の利用を申請すると、エレベーターが設置されたビルの受付担当者等によって情報媒体１０のメモリに行先階情報１２（後述する図３参照）が書き込まれる。エレベーターの利用者は、行先階情報１２（以下、単に「行先階情報」とも称す）が書き込まれた情報媒体１０を、受付担当者から受け取る。
【００１３】
情報媒体１０を所持する利用者は、いずれかのゲート装置２０において情報媒体１０を用いて認証を行って該当ゲート装置２０を通過してエレベーターホールへ入場する。このとき、利用者は、ゲート装置２０の表示により、複数のバンクＡ〜Ｃのうち、号機Ａ〜ＤからなるバンクＡ、号機Ｅ〜ＨからなるバンクＢ、又は、号機Ｉ〜ＬからなるバンクＣのいずれかに案内される。「号機」とは、基本的には乗りかごのことを指す。本実施形態では、バンクＡは低層階用、バンクＢは中層階用、そしてバンクＣは高層階用としている。情報媒体１０及びゲート装置２０については、後述する図３により詳述する。
【００１４】
［各バンクに割り当てられた乗りかごの停止階］
図２は、一実施形態に係るエレベーターのゲート連動システムにおけるバンクＡ〜Ｃに割り当てられた乗りかごの停止階の例を示す説明図である。
【００１５】
図２の例では、階床は１階（１ＦＬ）から１３階（１３ＦＬ）までであり、基準階である１階及び２階〜６階までがバンクＡの停止階として割り当てられている。１階及び６階〜１０階までがバンクＢの停止階として割り当てられ、１階及び１０階〜１３階までがバンクＣの停止階として割り当てられている。それ以外の階は、不停止階として設定されている。ここで、１階、６階、１０階は、複数のバンク（乗りかご）の停止階、即ち複数のバンクで共通のサービスを受けることができるバンク共有階である。
【００１６】
このようなバンク共有階とされた階の利用者は、他の階の利用者と異なり、バンク共有階に対応するバンクのうちいずれかのバンクが割り当てられるため、いつも同じバンクの号機に割り当てられるとは限らない。例えば、利用者の行先階が共有階である１０階の場合、利用者はバンクＡ又はバンクＣに属する号機に割当てられるが、バンクＡ又はバンクＣのいずれに割り当てられるかは、そのときの各バンク内の各号機の運行状況などにより異なる。
【００１７】
そこで、本発明に係る一実施形態では、バンク共有階の利用者が所持する情報媒体１０に、バンクを識別するためのバンク識別ＩＤ（バンク識別情報の一例）を予め登録しておき、利用者がエレベーターを利用時に、情報媒体１０に登録されたバンク識別ＩＤをゲート装置２０で読み取る。そして、情報媒体１０から読み取ったバンク識別ＩＤに対応して設定されたバンクに対応する後述する群管理装置を選択し、該当群管理装置にのみ情報媒体１０に記憶された行先階情報を含む利用者情報を送信する。
【００１８】
［エレベーターのゲート連動システム］
以下、一実施形態に係るエレベーターのゲート連動システムの制御系の構成について、図３を参照して説明する。図３は、一実施形態に係るエレベーターのゲート連動システムの制御系の構成例を示すブロック図である。
【００１９】
図３に示すように、本実施形態に係るエレベーターのゲート連動システムは、情報媒体１０を所持する利用者が通過する複数のゲート装置２０と、ゲート装置２０を通過する利用者に関するデータに基づいて通信を行う通信変換装置３０と、通信変換装置３０からのデータに基づいて号機割当てを行う群管理装置４０Ａ〜４０Ｃと、号機Ａ〜Ｌとを備えて構成されている。このエレベーターのゲート連動システムは、複数の号機Ａ〜Ｄを群管理する群管理装置４０Ａ（群管理装置Ａ）を備えたバンクＡと、複数の号機Ｅ〜Ｈを群管理する群管理装置４０Ｂ（群管理装置Ｂ）を備えたバンクＢと、複数の号機Ｉ〜Ｌを群管理する群管理装置４０Ｃ（群管理装置Ｃ）を備えたバンクＣとを備えた複数バンク構成である。
【００２０】
（ゲート装置）
ゲート装置２０は、利用者が所持する情報媒体１０から利用者情報を読み込んで利用者の認証を行い、当該ゲート装置２０が設置された階床への乗り場呼びを行うため、利用者情報を通信変換装置３０へ送信する。情報媒体１０のＩＣカードに搭載されたメモリには、利用者情報として、少なくともバンク識別ＩＤ１１（以下、単に「バンク識別ＩＤ」とも称す）と、行先階情報１２が記憶されている。このゲート装置２０は、第１の通信制御部２１と、セキュリティ処理部２２と、表示部２３と、第２の通信制御部２４とを有する。
【００２１】
第１の通信制御部２１は、ＮＦＣ（Near Field Communication）等の近距離無線通信技術を利用して、情報媒体１０との間で無線通信を行う無線通信インターフェースである。例えば第１の通信制御部２１は、ゲート装置２０の不図示の読取り面にかざされた情報媒体１０と磁気結合などにより通信を行う。第１の通信制御部２１が情報媒体１０から受信した通信データ（利用者情報を含む）は、セキュリティ処理部２２に供給される。
【００２２】
セキュリティ処理部２２は、第１の通信制御部２１から供給された情報媒体１０に記憶される利用者情報に基づいて利用者の認証を行い、認証が完了すると扉を開放する制御を行う。上述したように、読み取った利用者情報には、利用者が指定した行先階情報１２、及び、行先階情報に基づいて設定されたバンク識別ＩＤ１１等が含まれる。上記の第１の通信制御部２１及びセキュリティ処理部２２は、ＩＣカード等に記憶された情報を読み取るカードリーダーを構成する。
【００２３】
表示部２３は、セキュリティ処理部２２が情報媒体１０から読み取ったバンク識別ＩＤに基づいて行われる各種処理の結果等を表示する。例えば表示部２３は、エレベーターの正常時には、第２の通信制御部２４を介して、群管理装置４０Ａ〜４０Ｃが出力する割当号機データの表示処理を行う。また表示部２３は、エレベーターの異常時には、第２の通信制御部２４を介して、通信変換装置３０で判定された異常を知らせる表示処理を行う。
【００２４】
第２の通信制御部２４は、通信変換装置３０との間で、無線又は有線によるデータ通信を行う通信インターフェースである。例えば第１の通信制御部２１は、不図示の読取部にかざされた情報媒体１０と磁気結合などにより通信を行う。第２の通信制御部２４は、通信変換装置３０へ送信者情報を送信する際に、利用者情報に自装置のアドレス情報を付与して送信する。これにより、認証後に対象の群管理装置がこのアドレス情報を使用し、対象の群管理装置から自装置のゲート装置２０へ向けて割当て号機データが送信される。アドレス情報としては、例えばＭＡＣ（Media Access Control address）アドレスやＩＰアドレス等を用いることができる。
【００２５】
（通信変換装置）
通信変換装置３０は、利用者情報に基づいて所定の判定処理を行う。この通信変換装置３０は、第１の通信制御部３１と、バンク判定部３２と、通信データ変換部３３と、第２の通信制御部３４とを備える。
【００２６】
第１の通信制御部３１は、各ゲート装置２０との間で有線又は無線によるデータ通信を行う。例えば第１の通信制御部３１は、ゲート装置２０により読み取られた情報媒体１０の利用者情報を受信して、バンク判定部３２へ供給する。また、第１の通信制御部３１は、対象の群管理装置から送信された割当て号機データに付与されたアドレス情報に基づいて、該当するゲート装置２０へ割当て号機データを送信する。
【００２７】
バンク判定部３２は、第１の通信制御部３１を介して、個々の利用者が所持する情報媒体１０から読み取ったバンク識別ＩＤを取得し、そのバンク識別ＩＤに基づいて、特有の処理を行う。即ち、バンク判定部３２は、利用者情報からバンク識別ＩＤを検出した場合には、後述する図４に示すテーブルＴ１を参照してバンク識別ＩＤが示すバンクに対応する群管理装置識別ＩＤを判定する。そして、バンク判定部３２は、該当群管理装置識別ＩＤにより特定される群管理装置に対し、少なくとも行先階情報を含む利用者情報のデータを送信する制御を行う。
【００２８】
通信データ変換部３３は、バンク判定部３２から供給されたデータを、群管理装置４０Ａ〜４０Ｃとデータ通信を行うためのデータ形式に変換する処理を行う。
【００２９】
第２の通信制御部３４は、各群管理装置４０Ａ〜４０Ｃとの間で有線又は無線によるデータ通信を行う。第２の通信制御部３４は、バンク判定部３２により判定された、バンク識別ＩＤに対応する群管理装置を選択して通信を行う。
【００３０】
（群管理装置）
群管理装置４０Ａ〜４０Ｃは、乗りかごのサービスエリア毎に区分されるバンクＡ〜Ｃに対応して設けられ、通信変換装置３０の判定結果に基づいて、該当バンク内の号機を選定して乗り場呼びに割り当てる。群管理装置４０Ａ〜４０Ｃは同じ構成であるから、ここでは群管理装置４０Ａについて説明する。群管理装置４０Ａは、通信制御部４１Ａと、号機割当て部４２Ａを備える。
【００３１】
通信制御部４１Ａは、通信変換装置３０の第２の通信制御部３４との間で通信を行うとともに、対応するバンク内の各号機（乗りかご）と通信を行う。例えば、通信制御部４１Ａは、各号機の乗りかごの現在位置、扉開延長中などの乗りかごの状態、乗りかごが備えるバッテリーの残容量など、各号機の乗りかごについての最新の情報を取得する。
【００３２】
号機割当て部４２Ａは、通信変換装置３０から受信した利用者情報（行先階情報）のデータを用いて、対応するバンクＡ内の号機Ａ〜Ｄのいずれかを割り当てる。通信制御部４１Ａは、号機割当て部４２Ａにより割当てられた号機と通信を行い、該当号機の乗りかごを呼び階床に移動させる。そして、号機割当て部４２Ａで割り当てられた号機のデータ（割当て号機データ）は、通信制御部４１Ａにより利用者情報を送信したゲート装置２０のアドレス情報が付与されて通信変換装置３０へ送信される。
【００３３】
また、群管理装置４０Ｂは、通信制御部４１Ｂと号機割当て部４２Ｂを備え、それぞれの機能は群管理装置４０Ａの通信制御部４１Ａ及び号機割当て部４２Ａと同じである。さらに、群管理装置４０Ｃは、通信制御部４１Ｃと号機割当て部４２Ｃを備え、それぞれの機能は群管理装置４０Ａの通信制御部４１Ａ及び号機割当て部４２Ａと同じである。
【００３４】
次に、一実施形態に係るエレベーターのゲート連動システムにおけるバンク識別ＩＤと群管理装置との対応関係の例について、図４を参照して説明する。図４は、一実施形態に係るエレベーターのゲート連動システムにおけるバンク識別ＩＤと群管理装置識別ＩＤとの対応づけを示す対応テーブルの例である。
【００３５】
図４に示すテーブルＴ１では、バンクＡを表すバンク識別ＩＤ“ＡＡＡ”が、群管理装置識別ＩＤ“Ａ”と対応づけられている。群管理装置識別ＩＤ“Ａ”は、バンクＡに対応して設定された群管理装置４０Ａ（図３参照）を示す。また、バンクＢを表すバンク識別ＩＤ“ＢＢＢ”が、群管理装置識別ＩＤ“Ｂ”と対応づけられている。群管理装置識別ＩＤ“Ｂ”は、バンクＢに対応して設定された群管理装置４０Ｂ（図３参照）を示す。さらにまた、バンクＣを表すバンク識別ＩＤ“ＣＣＣ”が、群管理装置識別ＩＤ“Ｃ”と対応づけられている。群管理装置識別ＩＤ“Ｃ”は、バンクＣに対応して設定された群管理装置４０Ｃ（図３参照）を示す。各識別ＩＤをアルファベットで表したが、数字などの他の符号でもよい。
【００３６】
通信変換装置３０のバンク判定部３２は、テーブルＴ１を参照して、情報媒体１０から読み取ったバンク識別ＩＤに対応する群管理装置を特定することができる。
【００３７】
（利用者情報登録装置）
また、図３に示す利用者情報登録装置５０は、情報媒体１０と近接無線通信を行い、情報媒体１０の利用者情報に、行先階情報やバンク識別ＩＤを登録する。利用者情報登録装置５０は、通信制御部５１と、バンク識別ＩＤ割当て処理部５２と、表示部５３を備える。
【００３８】
通信制御部５１は、ＮＦＣ等の近距離無線通信技術を利用して、情報媒体１０との間で無線通信を行う無線通信インターフェースである。通信制御部５１が情報媒体１０から受信したデータは、バンク識別ＩＤ割当て処理部５２に供給される。
【００３９】
バンク識別ＩＤ割当て処理部５２は、利用者の行先階が複数のバンクの共有の停止階である場合には、該当する各バンクの利用者を算出し、利用者が最少のバンクに対応するバンク識別ＩＤを、情報媒体１０の利用者情報に登録する。このバンク識別ＩＤの登録処理については、後述する図８を参照して詳述する。
【００４０】
表示部５３は、バンク識別ＩＤ割当て処理部５２は、各種情報を入力するための入力設定画面やバンク識別ＩＤの割当て結果等を表示する。
【００４１】
［各装置のハードウェア構成］
次に、図３に示したエレベーターのゲート連動システムの制御系の機能を実現するための各装置のハードウェア構成について、図５を参照して説明する。図５は、エレベーターのゲート連動システムが備える各装置のハードウェア構成例を示すブロック図である。
【００４２】
ここでは、上述したゲート装置２０、通信変換装置３０、群管理装置４０Ａ〜４０Ｃ、及び利用者情報登録装置５０が備えるコンピューター６０のハードウェア構成例を説明する。なお、各装置の機能、使用目的に合わせてコンピューター６０の各部は取捨選択される。
【００４３】
コンピューター６０は、バス６４にそれぞれ接続されたＣＰＵ（Central Processing Unit）６１、ＲＯＭ（Read Only Memory）６２、ＲＡＭ（Random Access Memory）６３を備える。さらに、コンピューター６０は、表示部６５、操作部６６、不揮発性ストレージ６７、第１の通信インターフェース６８、及び第２の通信インターフェース６９を備える。
【００４４】
ＣＰＵ６１は、制御部の一例であり、本実施形態に係る各機能を実現するソフトウェアのプログラムコードをＲＯＭ６２から読み出して実行する。なお、コンピューター６０は、ＣＰＵ６１の代わりに、ＭＰＵ（Micro-Processing Unit）等の処理装置を備えるようにしてもよい。ＲＡＭ６３には、ＣＰＵ６１等の演算処理の途中に発生した変数やパラメータ等が一時的に書き込まれる。
【００４５】
表示部６５は、例えば、液晶ディスプレイモニタであり、コンピューター６０で行われる処理の結果等を表示する。操作部６６には、例えば、キーボード、マウス又はタッチパネル等が用いられ、利用者が所定の操作入力、指示を行うことが可能である。
【００４６】
例えばゲート装置２０では、操作部６６を削除してもよい。また、通信変換装置３０及び群管理装置４０は、表示部６５及び操作部６６を削除することができる。また、利用者情報登録装置５０と情報媒体１０が通信可能な状態のときに、操作部６６を操作して利用者の目的の行先階を情報媒体１０に入力することが可能である。
【００４７】
不揮発性ストレージ６７としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリカード等が用いられる。この不揮発性ストレージ６７には、ＯＳ（Operating System）や各種のパラメータの他に、コンピューター６０を機能させるためのプログラムが記録されていてもよい。例えば通信変換装置３０の不揮発性ストレージ６７には、各バンクに割り当てられた停止階の情報（図２参照）、テーブルＴ１（図４参照）等が記憶されてもよい。
【００４８】
第１の通信インターフェース６８及び第２の通信インターフェース６９には、例えば、ＮＩＣ（Network Interface Card）等が用いられ、有線又は無線のＬＡＮ等のネットワークを介して各装置間で各種のデータを送受信することが可能である。第１の通信インターフェース６８は、ＮＦＣ等の近距離無線通信技術を用いて通信を行うものでもよい。
【００４９】
例えば、ゲート装置２０（図３参照）の第１の通信制御部２１及び第２の通信制御部２４は、第１の通信インターフェース６８及び第２の通信インターフェース６９に対応する。また、通信変換装置３０の第１の通信制御部３１及び第２の通信制御部３４は、第１の通信インターフェース６８及び第２の通信インターフェース６９に対応する。また、群管理装置４０Ａ〜４０Ｃの通信制御部４１Ａ〜４１Ｃは、第１の通信インターフェース６８に対応する。
【００５０】
また、利用者情報登録装置５０の通信制御部５１は、第１の通信インターフェース６８に対応する。ゲート装置２０の第１の通信制御部２１及び利用者情報登録装置５０の通信制御部５１は、近距離無線通信により通信を行う。通信制御部５１は、ＩＣカード等に記憶された情報を読み取ったりＩＣカードに書き込みを行ったりする、カードリーダー／ライターを構成する。
【００５１】
［ゲート装置の表示処理］
次に、ゲート装置２０における表示処理手法の手順について、図６を参照して説明する。図６は、ゲート装置２０における表示処理手法の手順例を示すフローチャートである。ＣＰＵ６１がＲＯＭ６２又は不揮発性ストレージ６７に格納されたプログラムを読み出して実行することにより、図６に示す処理が実現される。
【００５２】
ゲート装置２０の扉は、通常、閉じられているため、利用者はゲート装置２０を通過するために、利用者が所持している情報媒体１０をゲート装置２０の読取り面（図３の第１の通信制御部２１）にかざす。すると、ゲート装置２０のセキュリティ処理部２２は、情報媒体１０のメモリに記憶された利用者情報を読み込み、読み込んだ利用者情報を、第２の通信制御部２４を介して通信変換装置３０に送信する。そして、通信変換装置３０において、利用者情報に基づいて号機割当てを行う通信変換処理が実行される（Ｓ１）。この通信変換処理の詳細は、後述する図７を参照して説明する。
【００５３】
その後、セキュリティ処理部２２は、通信変換装置３０から割当て号機データが送られてくるのを待つ状態となり、割当て号機データを受信したかどうかを定期的に判定する（Ｓ２）。セキュリティ処理部２２は、割当て号機データを受信しない場合には（Ｓ２のＮＯ）、通信変換処理を行うステップＳ２の処理に戻る。
【００５４】
ステップＳ２において割当て号機データを受信した場合には（Ｓ２のＹＥＳ）、セキュリティ処理部２２は、割当て号機を表示部２３に表示する（Ｓ３）。利用者は、ゲート装置２０の表示部２３に表示された割当て号機を確認し、該当する号機の乗り場へ向かい乗りかごが来るのを待つ。
【００５５】
既述のとおり、利用者の行先階がバンク共有階に該当しない場合は、行先階情報に基づいて対応するバンクの群管理装置へ利用者情報を送信する。しかし、利用者の行先階がバンク共有階に該当する場合、行先階情報のみに基づいて号機割当て処理を行うと、毎回異なるバンクに案内される可能性がある。上述したように、例えば１０階のバンク共有階（図２参照）の利用者であれば、バンクＢ又はバンクＣに属する号機が割り当てられてしまう。そこで、本実施形態は、通信変換装置３０において次の図７に示すような処理を行う。
【００５６】
［通信変換装置の通信変換処理］
図７は、通信変換装置３０における通信変換処理手法の手順例を示すフローチャートである。
【００５７】
図７において、通信変換装置３０のバンク判定部３２は、ゲート装置２０から情報媒体１０の利用者情報を受信すると、利用者情報にバンク識別ＩＤが含まれているどうかを判定する（Ｓ１１）。利用者情報にバンク識別ＩＤが含まれている場合には、バンク判定部３２は、バンク識別ＩＤが正常であるかどうかを判定し（Ｓ１２）、続いてバンク識別ＩＤに対応するバンクの群管理装置が正常であるかどうかを判定する（Ｓ１３）。普通は正常であるから（Ｓ１２のＹＥＳ，Ｓ１３のＹＥＳ）、バンク判定部３２は、少なくともバンク識別ＩＤや行先階情報を含む利用者情報を対応するバンクの群管理装置、例えば群管理装置４０Ｂに利用者情報を送信する（Ｓ１４）。
【００５８】
一方、ステップＳ１２においてバンク識別ＩＤが異常であった場合（Ｓ１２のＮＯ）、又はステップＳ１３において対象バンクの群管理装置が異常であった場合には（Ｓ１３のＮＯ）、バンク判定部３２は、それぞれの例外的な異常が発生したことを示すデータ（異常案内）をゲート装置２０へ送信し、ゲート装置２０の表示部２３に異常案内を表示させる（Ｓ１７）。バンク判定部３２は、ステップＳ１７の処理を実行したら、本フローチャートの処理を終了する。
【００５９】
例えばエレベーターにバンクＡ〜Ｃの３つのバンクが存在する場合に、利用者情報にバンクＤを示すバンク識別ＩＤ“ＤＤＤ”が含まれるような場合には、バンク識別ＩＤが異常であると判定される。群管理装置が異常であるとは、群管理装置からの応答信号が正常な範囲を超えて異常値を示すような場合や、そもそも応答信号が返ってこないような場合である。
【００６０】
ステップＳ１４の処理後、バンク判定部３２は、割当てられた群管理装置（例えば群管理装置４０Ｂ）からの割当て号機データの受信待ちか否かを判定し（Ｓ１５）、割当て号機データの受信待ちである場合には（Ｓ１５のＹＥＳ）、ステップＳ１５の判定処理を継続する。
【００６１】
次に、ステップＳ１４において割当て号機データの受信待ちではない、即ち割当て号機データを受信した場合には（Ｓ１５のＮＯ）、バンク判定部３２は、割当て号機データをゲート装置２０へ送信し、ゲート装置２０の表示部２３に割当て号機を表示させる（Ｓ１６）。ステップＳ１６の処理が終了後、バンク判定部３２は、本フローチャートの処理を終了する。
【００６２】
なお、ステップＳ１１において、利用者情報にバンク識別ＩＤが含まれていない場合には（Ｓ１１のＮＯ）、バンク判定部３２は、予め不揮発性ストレージ６７に記憶された行先階情報毎に予め決められているバンク識別ＩＤ（決定済みバンク識別ＩＤ）を取得する（Ｓ１８）。そして、バンク判定部３２は、ステップＳ１８の処理後、ステップＳ１３の処理に移行する。この場合、情報媒体１０の利用者情報にバンク識別ＩＤが含まれていないときのために、予め行先階情報毎にバンク識別ＩＤを決定してその情報を登録したテーブル（図示略）を図２のテーブルＴ１とは別に作成しておき、不揮発性ストレージ６７に保存しておく。
【００６３】
その後、割り当てられた群管理装置、例えば群管理装置４０Ｂでは、通常の場合と同様に受信した利用者情報に含まれる行先階情報に基づいて、号機割当て部４２Ｂが適切な号機を割り当て、その割当て号機データは通信変換装置３０を通してゲート装置２０の表示部２３へ通知される。
【００６４】
したがって、バンク共有階の利用者は、自分が所持した情報媒体１０に記憶されたバンク識別ＩＤに基づいて、例外（Ｓ１２，Ｓ１３の異常検知時）を除いていつもと同じバンクの号機を利用することになる。それにより、利用者が特定のホール（乗り場）だけを利用すればよいように号機を割り当てることで、利用者の利便性を向上させることができる。つまり、バンク共有階の利用者に対し、従来のように毎回異なるバンクの号機が割り当てられることを防止することができる。
【００６５】
一方、利用者情報にバンク識別ＩＤが含まれていない場合にも、行先階情報に対応して予め決定されているバンクの群管理装置、例えば群管理装置４０Ｂに利用者情報を送信する。そして、群管理装置４０Ｂにおいて同様の処理を行う。このため、利用者情報にバンク識別ＩＤが含まれていない場合にも、毎回、同じバンクとホール（乗り場）を使用することになる。このようにバンク共有階の利用者も、その他の階の利用者も、あるいは、利用者情報にバンク識別ＩＤが含まれない場合にも、利用者は使い慣れたバンクやホールを使用することができる。
【００６６】
［利用者情報登録装置におけるバンク割当て処理］
次に、利用者情報登録装置５０におけるバンク割当て処理手法の手順例について、図８を参照して説明する。図８は、利用者情報登録装置５０におけるバンク割当て処理手法の手順例を示すフローチャートである。本フローチャートを実施することにより、利用者の行先階がバンク共有階であるか否かにかかわらず、情報媒体１０に行先階に応じて決められたバンク識別ＩＤが登録される。なお、図１〜図３はバンクＡ〜Ｃの３つのバンク構成を例示しているが、図８ではバンクＡ〜バンクＤの４つのバンク構成を想定した例としている。
【００６７】
図８において、まず情報媒体１０をゲート装置２０の読取り面（図３の通信制御部５１に対応）にかざすと、通信制御部５１は、情報媒体１０のメモリから利用者情報を読み取り、読み取った利用者情報のデータをバンク識別ＩＤ割当て処理部５２に送る。バンク識別ＩＤ割当て処理部５２は、情報媒体１０が読取り面にかざされたことを検知すると、エレベーターが複数のバンクを有するかどうかを判定し（Ｓ２１）、複数のバンクを有しない場合には（Ｓ２１のＮＯ）、本フローチャートの処理を終了する。エレベーターが複数のバンクを有しない場合には、バンクを割り当てる必要がなく、行先階情報だけで適切な号機を割り当てることが可能である。
【００６８】
次いで、エレベーターが複数のバンクを有する場合には（Ｓ２１のＹＥＳ）、バンク識別ＩＤ割当て処理部５２は、読み取られた利用者情報に基づいて、バンク共有階の利用があるかどうかを判定する（Ｓ２２）。そして、バンク共有階の利用がある場合には（Ｓ２２のＹＥＳ）、バンク識別ＩＤ割当て処理部５２は、該当バンクの利用者の人数を算出する（Ｓ２３）。利用者の人数は、各バンクの利用需要を表す指標の一例である。例えば行先階が１０階である場合には、バンクＢとバンクＣについて利用者の人数を算出する。利用者情報登録装置５０は、各バンクに割り当てられている利用者の人数（バンクと利用者人数）の情報を蓄積しており、このバンクと利用者人数の情報に基づいて、各バンクの利用者を算出することが可能である。
【００６９】
次いで、バンク識別ＩＤ割当て処理部５２は、利用者の人数を算出した複数のバンクの中で利用者が最も少ないバンクを算出する（Ｓ２４）。そして、バンク識別ＩＤ割当て処理部５２は通信制御部５１により、利用者の人数が最少のバンクを示すバンク識別ＩＤを、利用者情報として情報媒体１０に登録する（Ｓ２５）。通信制御部５１は、情報媒体１０から情報を読み取るだけでなく、情報媒体１０のメモリに情報を書き込むこともできる。ステップＳ２５の処理が終了後、本フローチャートの処理を終了する。
【００７０】
一方、ステップＳ２２においてバンク共有階の利用がない場合には（Ｓ２２のＮＯ）、バンク識別ＩＤ割当て処理部５２は、利用者情報の行先階がバンクＡの停止階を利用するものであるか否かを判定する（Ｓ２６）。そして、行先階がバンクＡの停止階である場合には（Ｓ２６のＹＥＳ）、バンク識別ＩＤ割当て処理部５２は通信制御部５１により、バンクＡを示すバンク識別ＩＤを、利用者情報として情報媒体１０に登録する（Ｓ２７）。
【００７１】
次いで、行先階がバンクＡの停止階ではない場合には（Ｓ２６のＮＯ）、バンク識別ＩＤ割当て処理部５２は、行先階がバンクＢの停止階であるか否かを判定し（Ｓ２８）、行先階がバンクＢの停止階である場合には（Ｓ２８のＹＥＳ）、バンクＢを示すバンク識別ＩＤを、利用者情報として情報媒体１０に登録する（Ｓ２９）。
【００７２】
次いで、行先階がバンクＢの停止階ではない場合には（Ｓ２８のＮＯ）、バンク識別ＩＤ割当て処理部５２は、行先階がバンクＣの停止階であるか否かを判定し（Ｓ３０）、行先階がバンクＣの停止階である場合には（Ｓ３０のＹＥＳ）、バンクＣを示すバンク識別ＩＤを、利用者情報として情報媒体１０に登録する（Ｓ３１）。
【００７３】
次いで、行先階がバンクＣの停止階ではない場合には（Ｓ３０のＮＯ）、バンク識別ＩＤ割当て処理部５２は、行先階がバンクＤの停止階であるか否かを判定し（Ｓ３２）、行先階がバンクＤの停止階である場合には（Ｓ３２のＹＥＳ）、バンクＤを示すバンク識別ＩＤを、利用者情報として情報媒体１０に登録する（Ｓ３３）。
【００７４】
次いで、行先階がバンクＤの停止階ではない場合には（Ｓ３２のＮＯ）、バンク識別ＩＤ割当て処理部５２は、利用者情報登録装置５０の表示部５３に、利用者情報に含まれる利用階が異常であることを示す画面を表示する（Ｓ３４）。ステップＳ２７，Ｓ２９，Ｓ３１，Ｓ３３，Ｓ３４のいずれかの処理が終了したら、本フローチャートの処理を終了する。
【００７５】
利用者情報登録装置５０において上記のバンク識別ＩＤ登録処理を実施することにより、利用者の行先階がバンク共有階であるか否かの如何にかかわらず、情報媒体１０に行先階に応じたバンク識別ＩＤが登録される。
【００７６】
上述した一実施形態の制御対象のエレベーターは、複数の号機を群管理する群管理装置４０Ａ〜４０Ｃを備えた複数のバンクＡ〜Ｃを有し、各バンクＡ〜Ｃは互いの間にバンク共有階を有してサービスを行うエレベーターである。本実施形態は、ゲート装置２０（セキュリティ処理部２２）により利用者が所持する情報媒体１０から読み取った利用者情報のバンク識別ＩＤに基づいて、通信変換処理３０が、対応するバンクＡ〜Ｃの群管理装置４０Ａ〜４０Ｃに号機の割当てを行わせるように制御を行う。即ち、利用者の情報媒体１０に予め利用者情報としてバンク識別ＩＤを登録しておき、通信変換装置３０のバンク判定部３２が、このバンク識別ＩＤに対応するバンクＡ〜Ｃのいずれかの群管理装置に対し号機の割当てのための利用者情報を送信する。
【００７７】
したがって、本実施形態は、情報媒体１０に登録されたバンク識別ＩＤが示すバンクＡ〜Ｃのいずれかの乗り場に利用者を誘導する。このような構成によれば、バンク共有階の利用者は、毎回異なるバンク構成の号機に割り当てられることを避け、自分が所持した情報媒体１０のバンク識別ＩＤに基づいて、例外（異常発生時）を除いてほぼいつもと同じバンクの号機が割り当てられる。それにより、利用者は、いつもと同じバンクの号機を利用することになり、特定のホールだけを利用することで利用者の利便性が向上する。
【００７８】
なお、本発明は上述した各実施形態例に限られるものではなく、特許請求の範囲に記載した本発明の要旨を逸脱しない限りにおいて、その他種々の応用例、変形例を取り得ることは勿論である。
【００７９】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【００８０】
また、上記の各構成、機能、処理部、処理手段等は、それらの一部又は全部を、例えば集積回路で設計する等によりハードウェアで実現してもよい。
【００８１】
また、制御線や情報線は説明上必要と考えられるものを示しており、製品上必ずしも全ての制御線や情報線を示しているとは限らない。実際には殆ど全ての構成が相互に接続されている。
【符号の説明】
【００８２】
１０…情報媒体、  １１…バンク識別ＩＤ、  １２…行先階情報、  ２０…ゲート装置、  ２１…第１の通信制御部、  ２２…セキュリティ処理部、  ２３…表示部、  ２４…第２の通信制御部、  ３０…通信変換装置、  ３１…第１の通信制御部、  ３２…バンク判定部、  ３３…通信データ変換部、  ３４…第２の通信制御部、  ４０Ａ，４０Ｂ，４０Ｃ…群管理装置、  ４１Ａ，４１Ｂ，４１Ｃ…通信制御部、  ４２Ａ，４２Ｂ，４２Ｃ…号機割当て部、  ５０…利用者情報登録装置、  ５１…バンク識別ＩＤ割当て処理部、  ５２…表示部、  ６０…コンピューター、  ６１…ＣＰＵ、  ６５…表示部、  ６８…第１の通信インターフェース、  ６９…第２の通信インターフェース
【図１】
2019006568.tif 000003
【図２】
2019006568.tif 000004
【図３】
2019006568.tif 000005
【図４】
2019006568.tif 000006
【図５】
2019006568.tif 000007
【図６】
2019006568.tif 000008
【図７】
2019006568.tif 000009
【図８】
2019006568.tif 000010